(57)【要約】【課題】ファンを取り外した状態で、通常の上衣として使用し易い空調衣服の服本体及び空調衣服を提供する。【解決手段】通気性のない又はファン２による空気の導入によって膨らませることができる程度の通気性を有する服地Ｃによって、少なくとも着用者の胴部を覆う形状に形成され、ファン２を取り付けるためのファン取付孔１３と、ファン２によって導入された空気を排出する空気排出部１５と、を備えた服本体１であって、服本体１の外面側からファン取付孔１３を覆い、ファン取付孔１３へと通じる開口部１８３が形成された形状変更可能なファンカバー１８を備え、開口部１８３は、ファンカバー１８の形状変更によって開口面積を変更可能である。【選択図】図２
2020147887.tif 000002
【特許請求の範囲】
【請求項１】
通気性のない又は空気導入手段による空気の導入によって膨らませることができる程度の通気性を有する服地によって、少なくとも着用者の胴部を覆う形状に形成され、
前記空気導入手段を取り付けるための取付孔と、
前記空気導入手段によって導入された空気を排出する空気排出部と、
を備えた空調衣服の服本体であって、
当該空調衣服の服本体の外面側から前記取付孔を覆い、前記取付孔へと通じる開口部が形成された形状変更可能なファンカバーを備え、
前記開口部は、前記ファンカバーの形状変更によって開口面積を変更可能であることを特徴とする空調衣服の服本体。
【請求項２】
前記ファンカバーは、シート状部材によって形成されたファンカバー本体を、前記取付孔の左右及び上方において前記服地に接続するようにして形成され、
前記取付孔下方の前記服地と前記ファンカバー本体との間に、前記開口部が形成されていることを特徴とする請求項１に記載の空調衣服の服本体。
【請求項３】
前記ファンカバーは、前記ファンカバーの立体形状を維持し、前記開口部を開放状態とする着脱自在な補強部材を備えることを特徴とする請求項２に記載の空調衣服の服本体。
【請求項４】
前記ファンカバー本体は、前記服地と対向する面に備えられた裏地と、前記裏地と反対側の面に備えらえた表地とを有し、前記裏地と前記表地との間に収納空間が形成され、
前記補強部材は可撓性を有する材料によって板状に形成され、前記収納空間に収納されることを特徴とする請求項３に記載の空調衣服の服本体。
【請求項５】
前記ファンカバー本体は、前記収納空間を開閉自在とする開閉手段を備えることを特徴とする請求項４に記載の空調衣服の服本体。
【請求項６】
前記ファンカバーの下端部近傍を前記服地に着脱自在に接続可能とする開口部固定手段を備えることを特徴とする請求項２から５のいずれか一項に記載の空調衣服の服本体。
【請求項７】
前記開口部固定手段は、前記開口部が残存した状態で、前記ファンカバーの下端部近傍を前記服地に接続することを特徴とする請求項６に記載の空調衣服の服本体。
【請求項８】
請求項１から７のいずれか一項に記載の空調衣服の服本体と、
前記空調衣服の服本体の内部に空気を導入する空気導入手段と、
前記空気導入手段に電力を供給する電源手段と、
を備えることを特徴とする空調衣服。
【発明の詳細な説明】
【技術分野】
【０００１】
本発明は、空調衣服の服本体及び空調衣服に関するものである。
【背景技術】
【０００２】
近年、身体を冷却する空調衣服が実用化され、急速に普及しつつある。従来の空調衣服は、通気性の低い素材で形成された服本体と、服本体の後側の下方に取り付けられた２つのファンと、２つのファンに電力を供給するための電源装置と、電源装置と２つのファンとを電気的に接続するための電源ケーブルと、を備える。
【０００３】
ファンを作動させると、大量の空気がファンから服本体内に取り込まれ、取り込まれた空気の圧力により服本体と着用者の身体との間に空気流通路が自動的に形成される。取り込まれた空気は、形成された空気流通路を着用者の身体又は下着の表面に沿って流通し、例えば、襟部や袖部の開口部に形成された空気排出部から外部に排出される。
そして、取り込まれた空気が、服本体と着用者の身体又は下着との間の空気流通路を流通する間に、身体から出た汗を蒸発させ、蒸発する際の気化熱により身体が冷却される（例えば、特許文献１参照）。
【０００４】
このような空調衣服は、雨天の場合に使用されることも想定されるところ、ファンに雨水が入ると、故障の原因となる可能性がある。そこで、服本体の外面側に、下方に開口部を残しつつファンを覆うカバー（通気ダクト）が備えられた空調衣服が知られている。
【先行技術文献】
【特許文献】
【０００５】
【特許文献１】国際公開第２００５／０６３０６５号
【特許文献２】特許第４９９６３０５号公報
【発明の概要】
【発明が解決しようとする課題】
【０００６】
空調衣服は、冬季等の空調衣服が必要とされない時期には、ファンを取り外した上で、その服本体を、空調衣服としての機能を有しない通常の上衣として使用することが考えられる。
しかし、空調衣服の服本体には、ファンを取り付けるために形成された取付孔が形成され、衣服の内部の空間と外部の空間とが繋がれている。したがって、ファンを取り外した場合、このような取付孔から外気が侵入してしまうため、保温性の確保が難しく、通常の上衣としての使用には適さなかった。
この点は、ファン覆うカバー（通気ダクト）を備えた特許文献２に記載の空調衣服においても、通気ダクトには固定的に開口部が形成されていることから、同様であった。
【０００７】
本発明の課題は、ファンを取り外した状態で、通常の上衣として使用し易い空調衣服の服本体及び空調衣服を提供することである。
【課題を解決するための手段】
【０００８】
上記課題を解決するため、請求項１に記載の発明は、
通気性のない又は空気導入手段による空気の導入によって膨らませることができる程度の通気性を有する服地によって、少なくとも着用者の胴部を覆う形状に形成され、
前記空気導入手段を取り付けるための取付孔と、
前記空気導入手段によって導入された空気を排出する空気排出部と、
を備えた空調衣服の服本体であって、
当該空調衣服の服本体の外面側から前記取付孔を覆い、前記取付孔へと通じる開口部が形成された形状変更可能なファンカバーを備え、
前記開口部は、前記ファンカバーの形状変更によって開口面積を変更可能であることを特徴とする。
【０００９】
請求項２に記載の発明は、請求項１に記載の空調衣服の服本体において、
前記ファンカバーは、シート状部材によって形成されたファンカバー本体を、前記取付孔の左右及び上方において前記服地に接続するようにして形成され、
前記取付孔下方の前記服地と前記ファンカバー本体との間に、前記開口部が形成されていることを特徴とする。
【００１０】
請求項３に記載の発明は、請求項２に記載の空調衣服の服本体において、
前記ファンカバーは、前記ファンカバーの立体形状を維持し、前記開口部を開放状態とする着脱自在な補強部材を備えることを特徴とする。
【００１１】
請求項４に記載の発明は、請求項３に記載の空調衣服の服本体において、
前記ファンカバー本体は、前記服地と対向する面に備えられた裏地と、前記裏地と反対側の面に備えらえた表地とを有し、前記裏地と前記表地との間に収納空間が形成され、
前記補強部材は可撓性を有する材料によって板状に形成され、前記収納空間に収納されることを特徴とする。
【００１２】
請求項５に記載の発明は、請求項４に記載の空調衣服の服本体において、
前記ファンカバー本体は、前記収納空間を開閉自在とする開閉手段を備えることを特徴とする。
【００１３】
請求項６に記載の発明は、請求項２から５のいずれか一項に記載の空調衣服の服本体において、
前記ファンカバーの下端部近傍を前記服地に着脱自在に接続可能とする開口部固定手段を備えることを特徴とする。
【００１４】
請求項７に記載の発明は、請求項６に記載の空調衣服の服本体において、
前記開口部固定手段は、前記開口部が残存した状態で、前記ファンカバーの下端部近傍を前記服地に接続することを特徴とする。
【００１５】
請求項８に記載の発明は、空調衣服において、
請求項１から７のいずれか一項に記載の空調衣服の服本体と、
前記空調衣服の服本体の内部に空気を導入する空気導入手段と、
前記空気導入手段に電力を供給する電源手段と、
を備えることを特徴とする。
【発明の効果】
【００１６】
本発明によれば、ファンを取り外した状態で、通常の上衣として使用し易い空調衣服の服本体及び空調衣服を提供することができる。
【図面の簡単な説明】
【００１７】
【図１】実施形態に係る空調衣服の第一開閉手段を開いた状態における正面図である。
【図２】実施形態に係る空調衣服の第一開閉手段を閉じた状態における背面図である。
【図３】実施形態に係る空調衣服の第一開閉手段を閉じた状態における側面図である。
【図４】実施形態に係る空調衣服の第一開閉手段を閉じた状態における底面図である。
【図５】図２のV-V部における断面図である。
【発明を実施するための形態】
【００１８】
以下、本発明の実施の形態である空調衣服について、図１から図５に基づいて説明する。ただし、本発明の技術的範囲は図示例に限定されるものではない。
なお、以下においては、着用者が空調衣服１００を着用した状態を基準として、着用者の前側を前、着用者の後側を後、着用者の上側を上、着用者の下側を下、着用者の右手側を右、着用者の左手側を左と定めて説明する。
【００１９】
［実施形態の構成］
実施形態に係る空調衣服１００は、図１に示すように、服本体１と、服本体１内部に空気を導入するファン２と、ファン２に電力を供給する電源部３と、電源部３とファン２とを接続する接続ケーブル４と、を備え、ファン２によって服本体１内に取り込まれた空気を、着用者の身体又は下着の表面に沿って流通させることで、身体から出た汗を蒸発させ、蒸発する際の気化熱により身体を冷却するものである。
【００２０】
｛服本体｝
服本体１は、図１から図５に示すように、通気性のない又はファン２による空気の導入によって膨らませることができる程度の通気性を有する服地Ｃによって、着用者の胴部及び腕部を覆う形状に形成されている。図１から図５においては、服本体１を、フードを有するレインコート型の上衣の形状に形成しているが、服本体１の形状はこれに限られず、例えば着用者の胴部のみを覆うベスト型に形成してもよい。なお、服本体１をレインコートとしても使用可能とするためには、服本体１の服地Ｃは防水性を有する必要があるが、空調衣服として使用するのみであれば、防水性までは要しない。
服本体１は、第一開閉手段１１と、空気漏れ防止手段１２と、ファン取付孔１３と、取付孔補強部材１４と、空気排出部１５と、電源部保持手段１６と、ケーブル保持手段１７と、ファンカバー１８と、開口部固定手段１９と、を備え、ファン取付孔１３からファン２によって取り込まれた外気が、空気排出部１５から排出されるように構成されている。
【００２１】
（第一開閉手段）
第一開閉手段１１は、服本体１を前開きとし、空調衣服１００を着用する際に、服本体１の前部を開閉するためのものであり、図１及び図３から図５に示すように、服本体１の前身頃を左右に分割すると共に、その両側に例えば線ファスナー等を備えて、当該分割部分を着脱自在とすることにより形成されている。
【００２２】
（空気漏れ防止手段）
空気漏れ防止手段１２は、図１から図４に示すように、服本体１下部に備えられた、服本体１と着用者の身体との間の空間内の空気が服本体１の裾部から外部に漏れることを防止するための手段であり、例えば、服本体１の下部の端部付近に、ゴム紐等の伸縮性のある部材を、着用者の身体を周回するように備えることによって形成される。空調衣服１００の着用時においては、空気漏れ防止手段１２によって、服本体１の裾部が絞り込まれて着用者の身体に密着し、服本体１下部から空気が外部に漏れることを防止することができる。
なお、服本体１が、裾部が絞り込まれた形状に形成された場合や、服本体１の裾部をズボンに入れて使用する場合等、裾部からの空気の流出量が僅かである場合には、必ずしも空気漏れ防止手段１２を備えずともよい。
【００２３】
（ファン取付孔）
ファン取付孔１３は、図１に示すように、服本体１を形成する服地の着用者の腰の左右に対応する位置に形成された、空調衣服１００の着用時において、服本体１と着用者の身体との間の空間と、服本体１の外部の空間と、を繋ぐこととなる円形の孔部である。
ファン取付孔１３を挿通するようにしてファン２を取り付けることで、ファン取付孔１３を介して、外部の空気を服本体１内に取り込むことができる。
なお、ファン取付孔１３が形成される位置としては、上記の位置に限られず、服本体１の側面、前面等に形成することも可能である。また、ファン取付孔１３が形成される個数は、２個に限られず、これより少数又は多数のファン取付孔１３を形成し、これに対応した数のファン２を取り付けてもよい。
【００２４】
（取付孔補強部材）
取付孔補強部材１４は、図１に示すように、例えばプラスチック等によって形成された扁平な環状の部材であり、中心にファン取付孔１３と大きさが略一致する孔部１４１を有する。取付孔補強部材１４は、孔部１４１がファン取付孔１３に重なるように、服本体１の内面側に取り付けられる。これによって、服本体１のファン取付孔１３周辺が補強され、ファン２をファン取付孔１３に取り付け易くなり、また、取り付けられたファン２が外れ難くなる。
取付孔補強部材１４は、服本体１を形成する服地に対し、縫合、接着等任意の方法によって取り付けることができる。また、取付孔補強部材１４を服本体１の内面側から覆う裏地が備えられていてもよい。
なお、ファン２の取り付けの容易性及びファン２の外れ難さは低下するものの、取付孔補強部材１４を備えない構成とすることも可能である。
【００２５】
（空気排出部）
空気排出部１５は、ファン２によってファン取付孔１３から導入された空気を、着用者の身体又は下着に沿って流通させた後に排出するための開口部であり、図１から図５に示すように、着用者の首と服本体１の襟部の端部との間の開口部（着用者が服本体１のフードを着用した場合には、着用者の頭部とフードの端部との間の開口部）と、着用者の腕と服本体１の袖部の端部との間の開口部と、に形成される。
なお、空気排出部は、ファン２によってファン取付孔１３から導入された空気を、着用者の身体又は下着に沿って流通させた後に排出できるものであればよく、その形成位置は、襟部及び袖部に限定されない。
【００２６】
（電源部保持手段）
電源部保持手段１６は、図１及び図５に示すように、服本体１の内面側に形成されたポケットであり、電源部３が収納される。図１及び図５においては、電源部保持手段１６が、服本体１の前身頃の左側の下方の位置に備えられた場合について図示したが、これに限られず、服本体１の内面側の任意の位置に備えることが可能である。
なお、電源部保持手段１６としては、必ずしもポケットを用いる必要はなく、電源部３を服本体１に装着することが可能であれば、任意の構成を採用することができる。さらに、服本体１に電源部保持手段１６を備えず、例えば着用者のズボンのベルト等に電源部３をクリップ等を用いて取り付けることにより、電源部３が服本体１に装着されないようにすることも可能である。
【００２７】
（ケーブル保持手段）
ケーブル保持手段１７は、図１及び図５に示すように、接続ケーブル４を、服本体１の内面側に保持するための手段であり、例えば、接続ケーブル４を挿通可能な開口部を有するリング状に形成され、当該開口部に接続ケーブル４を挿通させることによって、これを保持することができるように構成されている。
【００２８】
ケーブル保持手段１７としては、接続ケーブル４を服本体１内面側において所定の位置に保持することができれば、種々の形状及び材料のものを使用可能であり、例えば、一般的なベルト通しのように、上下方向に長い布を上下２か所において縫い付けることにより形成することができる。また、配置位置も、図１及び図５に示すものに限られない。
【００２９】
（ファンカバー）
ファンカバー１８は、図２から図５に示すように、２か所のファン取付孔１３のそれぞれを覆うようにして、服本体１の服地Ｃの外面側に取り付けられたファンカバー本体１８１と、ファンカバー本体１８１に着脱自在に取り付けられ、これを補強する補強部材１８２と、を備え、下側にファン取付孔１３へと通じる開口部１８３が形成されている。
【００３０】
（ファンカバー本体）
ファンカバー本体１８１は、図２及び図３に示すように、シート状部材を、ファン取付孔１３周囲の服地Ｃに対し、ファン取付孔１３の左右及び上方において接続するようにして形成され、シート状部材が服地Ｃに接続されていないファン取付孔１３下方の服地Ｃとファンカバー本体１８１との間に、開口部１８３が形成されている。
ファンカバー本体１８１がシート状部材から形成されていることで、ファンカバー１８は、補強部材１８２を取り外すことで形状変更可能であり、かつ形状変更に伴って、下方に形成された開口部１８３の開口面積を変更することができる。
例えば、ファンカバー本体１８１が広がって立体的形状となった状態では開口部１８３の開口面積は広くなり、ファンカバー本体１８１が潰れて服地Ｃに近接した状態では、開口部１８３の開口面積は狭くなる。
また、ファンカバー本体１８１は、ファン取付孔１３右側におけるファンカバー本体１８１と服地Ｃとの接続部と、ファン取付孔１３左側におけるファンカバー本体１８１と服地Ｃとの接続部との間のシート状部材の幅が、少なくともファンカバー本体１８１の下端部からファン取付孔１３と対向する部分までの間において、ファン取付孔１３右側におけるファンカバー本体１８１と服地Ｃとの接続部と、ファン取付孔１３左側におけるファンカバー本体１８１と服地Ｃとの接続部との間の服地Ｃの幅よりも広くなるように形成されている。これによって、図４及び図５に示すように、ファンカバー１８と、これと対向する服地Ｃとの間に、開口部１８３からファン取付孔１３へと通じる空気流通路が形成され易くなる。
【００３１】
ファンカバー本体１８１を形成するシート状部材は、図５に示すように、外面側に備えられた表地１８１１と、内面側（服本体１の服地Ｃと対向する側）に備えられた裏地１８１２とを備え、表地１８１１と裏地１８１２との間に、補強部材１８２を収納することができる収納空間１８１３が形成されている。表地１８１１及び裏地１８１２の材料としては、例えば服本体１の服地Ｃと同一の材料とすればよい。
【００３２】
また、ファンカバー本体１８１の下端部付近には、表地１８１１と裏地１８１２とを着脱自在に接続し、収納空間１８１３を開閉自在とする第二開閉手段１８１４が備えられている。
図２から図４においては、第二開閉手段１８１４が、表地１８１１と裏地１８１２との両者の下端部付近を接続するように備えられた線ファスナーである場合について図示しているが、第二開閉手段１８１４の構成はこれに限られず、後述の補強部材１８２が落下しないように収納空間１８１３を閉塞可能であればよく、例えば、面ファスナーやボタン等を用いてもよい。
【００３３】
（補強部材）
補強部材１８２は、可撓性を有する材料によって形成された略矩形状の板状の部材であり、ファンカバー本体１８１の収納空間１８１３に収納されることによって、ファンカバー本体１８１に着脱自在に取り付けられる。補強部材１８２の材料としては、例えば樹脂材料が用いられるが、可撓性を有し、これを湾曲させつつ収納空間１８１３に挿入可能であるとともに、補強部材１８２が収納空間１８１３に収納された状態で、その湾曲形状が維持され、ファンカバー１８の立体形状を維持できる程度の強度を有するものであれば、任意の材料を用いることができる。
補強部材１８２は、その右端部から左端部までの幅が、ファン取付孔１３右側におけるファンカバー本体１８１と服地Ｃとの接続部と、ファン取付孔１３左側におけるファンカバー本体１８１と服地Ｃとの接続部との間の収納空間１８１３の幅と同一か、僅かに短くなるように形成されている。これによって、補強部材１８２を収納空間１８１３に収納した際に、図３から図５に示すように、ファンカバー本体１８１が持ち上げられ、ファンカバー１８の立体形状が維持され、ファンカバー１８とファン取付孔１３との間に間隙が形成されると共に、開口部１８３が開放状態となる。
補強部材１８２の上下方向の長さは、収納空間１８１３に収納可能な長さであればよいが、ファン取付孔１３から開口部１８３までの空気流通路を強固に形成するため、ファンカバー１８の下端部から、ファン取付孔１３と対向する位置まで達する長さを有することが望ましい。
【００３４】
（開口部固定手段）
開口部固定手段１９は、ファンカバー１８の開口部１８３の開口面積が縮小された状態で、これを固定するための手段であり、例えばスナップボタンを用い、図４に示すように、一方をファンカバー本体１８１の裏地１８１２下端部付近の服地Ｃに対抗する面に備え、他方をこれと対向する位置の服地Ｃに備えることで、ファンカバー本体１８１の下端部付近を服地Ｃに着脱自在に接続可能とすることによって形成されている。
なお、開口部固定手段１９は、スナップボタンには限られず、ファンカバー本体１８１の裏地１８１２下端部付近と、これと対向する位置の服地Ｃとを着脱自在に接続可能であれば、任意の構成を採用可能である。例えば、面ファスナー等を用いてもよい。
なお、開口部固定手段１９としては、開口部１８３を完全に閉塞するものであってもよいが、スナップボタンのように、開口部固定手段１９の左右に僅かに開口部が残存するものであることが、服本体１内の蒸れを防止する上では望ましい。
【００３５】
｛ファン｝
ファン２は、図１に示すように、ファン取付孔１３を挿通するようにして服本体１に取り付けられ、ファン取付孔１３を通して、服本体１と着用者の身体との間の空間に空気を導入するためのものである。ファン２には、電源部３より、接続ケーブル４を通じて必要な電力が供給される。
ファン２としては、ファン取付孔１３を挿通するようにして服本体１に取り付けられ、服本体１内部に空気を導入できるものであれば、任意の構成を採用可能である。
【００３６】
｛電源部｝
電源部３は、ファン２に電力を供給するための部材であり、例えば、安全保護回路が付加されたリチウムイオン組電池が内蔵され、接続ケーブル４を通じてファン２と接続される。
電源部３は、ファン２に電力を供給することができるものであれば、その具体的な構成は任意である。
【００３７】
｛接続ケーブル｝
接続ケーブル４は、電源部３とファン２とを接続するケーブルであり、接続ケーブル４を通じて、電源部３からファン２に対して、ファン２の稼働に必要な電力が供給される。
接続ケーブル４は、電源部３からファン２に対して、ファン２の稼働に必要な電力を供給できるものであればよく、その具体的な構成は任意である。また、接続ケーブル４を備えることなく、ファン２と電源部３とが直接接続される構成とすることも可能である。また、ファン２と電源部３とを一体化してもよい。
【００３８】
［実施形態の効果］
本実施形態に係る空調衣服１００によれば、ファン取付孔１３がファンカバー１８によって覆われている。これによって、雨天の際にも、ファン取付孔１３に取り付けられたファン２に雨水が入り難くなる。
【００３９】
また、ファンカバー１８は、シート状部材で形成されたファンカバー本体１８１を、ファン取付孔１３周囲の服地Ｃに対し、ファン取付孔１３の左右及び上方において接続するようにして形成され、ファンカバー本体１８１が服地Ｃに接続されていない下方に、ファン取付孔１３へと通じる開口部１８３が形成されていることから、ファンカバー１８を備えたことによって、空調衣服としての機能が損なわれることもない。
【００４０】
また、ファンカバー本体１８１が、シート状部材によって形状変更可能に形成され、かつ、補強部材１８２は、ファンカバー本体１８１の収納空間１８１３に収納されるようにして、ファンカバー本体１８１に対して着脱自在に取り付けられていることから、補強部材１８２を取り外すことで、ファンカバー１８の立体形状が維持されなくなり、その形状変更が可能となる。そして、その形状変更に伴って、開口部１８３の開口面積を変更することができる。
これによって、例えば、ファンカバー本体１８１を広げて立体的形状とした状態とすれば、開口部１８３の開口面積は広くなり、ファンカバー本体１８１を潰して服地Ｃに近接した状態とすれば、開口部１８３の開口面積は狭くなる。
したがって、開口部１８３を縮小し、服本体１内から漏れる空気を少なくすることができることから、服本体１を、ファン２並びにこれに電力を供給するための電源部３及び接続ケーブル４を取り外して、空調衣服としての機能を有しない通常の上衣、本実施形態においてはレインコートとして使用し易くなる。なお、本実施形態ではレインコートを例として説明したが、服本体１の、空調衣服としての機能を有しない通常の上衣としての用途は、これに限られない。
【００４１】
また、服本体１が、ファンカバー本体１８１の裏地１８１２下端部付近と、これと対向する位置の服地Ｃとを着脱自在に接続可能とする開口部固定手段１９を備えることで、ファンカバー本体１８１の下端部付近が服地Ｃに近接し、開口部１８３が縮小した状態でこれを固定することができ、さらに服本体内から漏れる空気を少なくすることができる。これによって、服本体１を、空調衣服としての機能を有しない通常の上衣としてさらに使用し易くなる。
【００４２】
また、服本体１に、ファン２並びにこれに電力を供給するための電源部３及び接続ケーブル４が取り付けられた状態で、空調衣服１００として使用する際には、補強部材１８２を収納空間１８１３に収納し、ファンカバー１８を立体形状として使用することで、開口部１８３の開口面積が広がった状態でこれを固定することができ、ファンカバー１８を備えたことによる空調衣服としての冷却効果の低下を抑制できる。
【００４３】
なお、補強部材１８２を備えない場合も、ファン２によってファン取付孔１３を介して空気が排出された場合、排出された空気によってファンカバー本体１８１が膨らみ、開口部１８３からファン取付孔１３へと続く空気流通路が自動的に形成されることから、空調衣服として使用することは可能であるが、ファンカバー１８がさらに補強部材１８２を備えることによって、予めファンカバー１８を立体形状として、開口部１８３からファン取付孔１３へと続く空気流通路を形成しておくことができることから、さらにファンカバー１８によってファン２による空気の排出が阻害され難くなる。
【００４４】
また、開口部固定手段１９が、上記のようなスナップボタン等であれば、開口部固定手段１９によって、ファンカバー本体１８１の下端部付近を服地Ｃに接続した際にも、開口部固定手段１９の左右に僅かに開口部を残すことができる。したがって、ファン取付孔１３によって過度に服本体１の密閉性が失われることを防止ししつつ、適度な空気流通路を残すことで、十分な保温性を確保しつつ、衣服内の蒸れを防ぐことができ、服本体１を、空調衣服としての機能を有しない通常の上衣として、より快適に使用することができる。
【符号の説明】
【００４５】
１００  空調衣服
１  服本体
１３  ファン取付孔（取付孔）
１５  空気排出部
１８  ファンカバー
１８１  ファンカバー本体
１８１１  表地
１８１２  裏地
１８１３  収納空間
１８１４  第二開閉手段（開閉手段）
１８２  補強部材
１８３  開口部
１９  開口部固定手段
２  ファン（空気導入手段）
３  電源部（電源手段）
４  接続ケーブル（電源手段）
Ｃ  服地
【図１】
2020147887.tif 000003
【図２】
2020147887.tif 000004
【図３】
2020147887.tif 000005
【図４】
2020147887.tif 000006
【図５】
2020147887.tif 000007